(57)【特許請求の範囲】
【請求項１】
足場板の長さ方向の両端にそれぞれ鳥居枠を立設し、しかも足場板の少なくとも一方の側面に沿うように前記両端の鳥居枠の支柱間に先行手摺りを取付けた足場構造において、下側または上側にＵ字状のバーを備え、取付けバーの両端を終端の鳥居枠の両側の支柱に固定する安全ガードを有し、該安全ガードの前記Ｕ字状のバーの垂直部分を前記鳥居枠の両側の支柱に対して前記足場板の幅方向内側に偏倚させるとともに前記足場板の幅方向外側に突出する当接片を設け、該当接片を前記鳥居枠の両側の支柱に当接させ、前記先行手摺りの長さ方向の両端に押えレバーを回動可能に設け、該押えレバーを前記足場板の長さ方向の両側の鳥居枠の支柱に係止するようにした足場構造。
【請求項２】
前記安全ガードの前記Ｕ字状バーの垂直部分が前記先行手摺りの押えレバーと干渉しない寸法だけ前記足場板の幅方向内側に偏倚させた請求項１に記載の足場構造。
【請求項３】
前記押えレバーは前記先行手摺りの長さ方向の両端の縦桟に回動自在に取付けられ、前記当接片の上部または下部において前記鳥居枠の支柱と係合して前記先行手摺りが前記足場板の幅方向にばたつかないようにする請求項１または請求項２に記載の足場構造。
【請求項４】
前記押えレバーは、前記先行手摺りの長さ方向に形成された長孔を貫通するピンが前記先行手摺りの縦桟を貫通して該縦桟に取付けられている請求項３に記載の足場構造。
【請求項５】
前記安全ガードが、横方向に延びる取付けバーと、該取付けバーの下側に溶接されて連結されたＵ字状のバーとから構成され、前記取付けバーの両端がクランパによって前記鳥居枠の両側の支柱に固定される請求項１に記載の足場構造。
【請求項６】
前記クランパが中空のリベットによって前記取付けバーに固着されている請求項５に記載の足場構造。
【請求項７】
前記当接片が矩形の板から構成され、前記Ｕ字状バーの垂直部分であって外側面上に前記足場板の幅方向外側に突出して溶接されている請求項５または請求項６に記載の足場構造。
【発明の詳細な説明】
【技術分野】
【０００１】
本発明は足場構造に係り、とくに足場板の長さ方向の両端にそれぞれ鳥居枠を立設し、しかも足場板の少なくとも一方の側面に沿うように両側の鳥居枠の支柱間に先行手摺りを取付けた足場構造に関する。
【背景技術】
【０００２】
２階以上の高さの建造物を構築するときや、予め完成している建造物の外壁の塗装や補修工事等を行なうために、仮設足場を設けるようにしている。仮設足場は、フレームとなる鳥居枠を何段にも積重ねるとともに、鳥居枠を横方向に順次連結し、それぞれのユニットの中に足場板を取付けるようにしたものであって、とくに高所作業の作業性を改善し、安全性を確保するものである。
【０００３】
このような足場構造において、とくに両側の鳥居枠の間に足場板を組込んだユニットの配列方向の終端において、鳥居枠の両側の支柱間の部分が開放されたままであると、転落事故を起す可能性がある。そこでこのような転落事故を防止するために、終端の鳥居枠の両側の支柱間に安全ガードを取付けるようにしている。また鳥居枠を何段にも組合せてユニットを上下に積重なるようにした足場構造において、とくに下段のユニットの外側面に先行手摺りを下から順次取付けるようにすると、次に取付けられる上段のユニットの外側面が下段の先行手摺りの上縁によって覆われているために、積重ね作業の安全性が向上する。
【０００４】
ところが上記の鳥居枠の終端の支柱間の開放部分を閉じる安全ガードと、側面を覆う先行手摺りとが互いに直角に取付けられるようにした場合に、両者の干渉が起こって円滑に組立てができない可能性がある。
【先行技術文献】
【特許文献】
【０００５】
【特許文献１】特開２０１２−０７２５９９号公報
【特許文献２】特開２００５−２９９１７２号公報
【特許文献３】特開２００５−２１３７４９号公報
【発明の概要】
【発明が解決しようとする課題】
【０００６】
本願発明の課題は、終端の鳥居枠の支柱間に安全ガードを取付けるとともに、各ユニットの前面側外側面に先行手摺りを取付けた場合における安全ガードと先行手摺りとの干渉を無くし、両者が互いに確実に取付けられるようにした足場構造を提供することである。
【０００７】
本願発明の別の課題は、安全性が高く、作業効率の改善のみならず、安全性を改善するようにした足場構造を提供することである。
【０００８】
本願発明のさらに別の課題は、とくに足場ユニットを何段にも積重ねる際に、上の段の部分の前面側外側面の手摺りが確実に取付けられるようにした足場構造を提供することである。
【０００９】
本願発明の上記の課題および別の課題は、以下に述べる本願発明の技術的思想、およびその実施の形態によって明らかにされる。
【課題を解決するための手段】
【００１０】
本願の主要な発明は、足場板の長さ方向の両端にそれぞれ鳥居枠を立設し、しかも足場板の少なくとも一方の側面に沿うように前記両端の鳥居枠の支柱間に先行手摺りを取付けた足場構造において、
下側または上側にＵ字状のバーを備え、取付けバーの両端を終端の鳥居枠の両側の支柱に固定する安全ガードを有し、該安全ガードの前記Ｕ字状のバーの垂直部分を前記鳥居枠の両側の支柱に対して前記足場板の幅方向内側に偏倚させるとともに前記足場板の幅方向外側に突出する当接片を設け、該当接片を前記鳥居枠の両側の支柱に当接させ、
前記先行手摺りの長さ方向の両端に押えレバーを回動可能に設け、該押えレバーを前記足場板の長さ方向の両側の鳥居枠の支柱に係止するようにした足場構造に関するものである。
【００１１】
ここで、前記安全ガードの前記Ｕ字状バーの垂直部分が前記先行手摺りの押えレバーと干渉しない寸法だけ前記足場板の幅方向内側に偏倚させてよい。また前記押えレバーは前記先行手摺りの長さ方向の両端の縦桟に回動自在に取付けられ、前記当接片の上部または下部において前記鳥居枠の支柱と係合して前記先行手摺りが前記足場板の幅方向にばたつかないようにしてよい。また前記押えレバーは、前記先行手摺りの長さ方向に形成された長孔を貫通するピンが前記先行手摺りの縦桟を貫通して該縦桟に取付けられてよい。また前記安全ガードが、横方向に延びる取付けレバーと、該取付けレバーの下側に溶接されて連結されたＵ字状のバーとから構成され、前記取付けバーの両端がクランパによって前記鳥居枠の両側の支柱に固定されてよい。また前記クランパが中空のリベットによって前記取付けバーに固着されてよい。また前記当接片が矩形の板から構成され、前記Ｕ字状バーの垂直部分であって外側面上に前記足場板の幅方向外側に突出して溶接されてよい。
【発明の効果】
【００１２】
本願の主要な発明は、足場板の長さ方向の両端にそれぞれ鳥居枠を立設し、しかも足場板の少なくとも一方の側面に沿うように前記両端の鳥居枠の支柱間に先行手摺りを取付けた足場構造において、
下側または上側にＵ字状のバーを備え、取付けバーの両端を終端の鳥居枠の両側の支柱に固定する安全ガードを有し、該安全ガードの前記Ｕ字状のバーの垂直部分を前記鳥居枠の両側の支柱に対して前記足場板の幅方向内側に偏倚させるとともに前記足場板の幅方向外側に突出する当接片を設け、該当接片を前記鳥居枠の両側の支柱に当接させ、
前記先行手摺りの長さ方向の両端に押えレバーを回動可能に設け、該押えレバーを前記足場板の長さ方向の両側の鳥居枠の支柱に係止するようにしたものである。
【００１３】
このような構成に係る足場構造によると、安全ガードのＵ字状バーの垂直部分が鳥居枠の両側の支柱に対して足場板の幅方向内側に偏倚しているために、先行手摺りの長さ方向の両端の押えレバーが安全ガードのＵ字状のバーの垂直部分と干渉することが防止され、これによって先行手摺りの押えレバーを鳥居枠の支柱に確実に係止することができ、先行手摺りの上端側がバタつくのを押えレバーによって防止することができる。しかも安全ガードは、当接板によって鳥居枠の両側の支柱に当接されるために、安全ガードが外側に傾いたり移動したりすることがなく、安全性が確保される。
【図面の簡単な説明】
【００１４】
【図１】鳥居枠の正面図である。
【図２】先行手摺りの正面図である。
【図３】安全ガードの正面図である。
【図４】安全ガードの平面図である。
【図５】安全ガードの側面図である。
【図６】安全ガードの分解斜視図である。
【図７】安全ガードと鳥居枠の結合を示す正面図である。
【図８】組立てられた足場ユニットの構造を示す外観斜視図である。
【図９】安全ガードと手摺り枠と斜め桟とを両側の鳥居枠と組合せた要部横断面図である。
【図１０】押えレバーの先行手摺りに対する取付けを示す要部拡大斜視図である。
【図１１】鳥居枠の支柱に対する先行手摺りの押えレバーの係合と安全ガードの当接との関係を示す要部拡大平面図である。
【発明を実施するための形態】
【００１５】
以下本願発明を図示の実施の形態によって説明する。図１は本実施の形態に係る足場構造に用いられる鳥居枠１０を示している。鳥居枠１０は、両側の一対の直立する支柱１１を備えるとともに、両側の支柱の両端部は横バー１２で連結されている。そして横バー１２と支柱１１とを両側の湾曲する補強材１３によって連結している。支柱１１は、上端側が一回り細い挿入軸１４から構成されている。何段にも積重ねたときに、下側の段の挿入軸１４が上側の段の鳥居枠１０の支柱１１の受入れ筒１５と嵌合され、これによって何段にも積重ねられるようになっている。
【００１６】
次に足場ユニットの前面側の部分を覆う先行手摺り２０について図２により説明する。先行手摺り２０はその両端側が縦桟２１から構成され、縦桟２１と平行に、例えば２本の中桟２２が配設され、さらに両端の縦桟２１と中間の２本の中桟２２の上端とを横桟２３によって連結している。また縦桟２１の上端は斜めに屈曲されるとともに、両側の斜めに屈曲した縦桟２１の上端を連結するように上桟２４が固定される。また縦桟２１、中桟２２の下端を連結するように下桟25が取付けられる。
【００１７】
先行手摺り２０の両端にはそれぞれ押えレバー２６が取付けられるようになっている。押えレバー２６はとくに図１０および図１１に示すように、長さ方向に延びる長孔２７が形成して成り、この長孔２７に係合されるピン２８が先行手摺り２０の縦桟２１と連結されるようになっている。そして押えレバー２６が断面形状がＵ字状に構成されるとともに、基端側が切欠かれた切欠き２９を備え、この切欠き２９内に縦桟２１が挿通される。また押えレバー２６の底部であって切欠き２９と反対側の係合部３０は、鳥居枠１０の支柱１１を受入れて係合するようになっている。
【００１８】
次に終端の鳥居枠１０の支柱間に取付けられる安全ガード３３について図３〜図６により説明する。安全ガード３３は、横方向に延びる取付けバー３４を備えるとともに、この取付けバー３４の下側には、Ｕ字状バー３５が取付けられるようになっている。取付けバー３４およびＵ字状バー３５は、何れも鋼パイプから構成され、両端が押し潰されて扁平になっている。そしてＵ字状バー３５の両側の上端部が溶接位置３６において、取付けバー３４の下面に溶着されている。そして取付けバー３４はその両端の部分がクランパ３７を介して鳥居枠１０の支柱１１に結合されるようになっている。クランパ３７を取付けバー３４の両端に取付けるために、中空リベット３８が用いられ、図６に示すように取付けバー３４の両端の取付け孔３９の部分に中空リベット３８を介してクランパ３７が取付けられている。またＵ字状バー３５にはその外側部にそれぞれ横方向に突出するように当接片４０が溶接して取付けられている。
【００１９】
図７はこのような安全ガード３３を鳥居枠１０の支柱１１間に取付け固定した構成を示している。ここで安全ガード３３のＵ字状バー３５の両側の垂直部分は、鳥居枠１０の両側の支柱１１に対して、後述する足場板の幅方向に対して内側に偏倚するようになっており、このために先行手摺り２０の押えレバー２６が安全ガード３３のＵ字状バー３５と干渉することが防止されるようになっている。なお安全ガード３３の当接片４０と先行手摺り２０の押えレバー２６との干渉の防止は、両者を互いに高さ方向において上下にずらすことにより行なわれる。
【００２０】
図８は両側の鳥居枠１０と、前面側の先行手摺り２０と、背面側の斜め桟４５とによって組立てられた足場構造のユニットを示している。鳥居枠１０を互いに足場板４６の長さ方向に所定の間隔をおいて配設するとともに、背面側の部分を互いに斜めに交差する２本の斜め桟４５によって連結する。なお連結する部位には、予め係止手段が設けられている。また一対の鳥居枠１０の間であって前面側の部分には先行手摺り２０が取付けられる。先行手摺り２０は、その両端にそれぞれ取付けられている押えレバー２６を鳥居枠１０の支柱１１の部分に係合させることによって、上端のばらつきが防止される構造になっている。
【００２１】
ここで先行手摺り２０は、下段側の足場ユニットを組立てると、上半分が上段の前面側を覆うようになる。すなわち組立てられる前の段階ですでに先行手摺り２０の上側の部分の約１ｍの高さまで上桟２４が足場板４６よりも上方に延びてきており、これによって前面が開放された状態の発現を防止する。これにより、開放された前面から転落するのが防止され、何段にも順次組み立てていく場合の安全性が著しく高まるようにしたものである。なお各ユニットの足場の底部を覆うように足場板４６が取付けられる。また図８の構造は、前面側が先行手摺り２０から構成され、背面側が斜め桟４５をクロスさせて配置した構成になっているが、背面側についても先行手摺り２０を取付けるようにしてもよい。一般に建物の外壁に近接して足場を構築する場合には、図８のような形態の組み立てが多くなる。
【００２２】
次に図９〜図１１は、このようにして前面側に先行手摺り２０が装着され、終端の鳥居枠１０の支柱１１間に安全ガード３３が取付けられたときの先行手摺り２０の押えレバー２６と安全ガード３３の当接片４０との干渉の防止の構造を示している。先行手摺り２０の押えレバー２６はピン２８によって縦桟２１に回動可能に取付けられ、この押えレバー２６を水平に倒すと、押えレバー２６の先端側の係合部３０が鳥居枠１０の支柱１１の側面に係合され、これによって先行手摺り２０の上端側の部分のばたつきが支柱１１によって防止されるようになる。しかも安全ガード３３は、そのＵ字状バー３５の垂直部分の足場板４６の幅方向の寸法が上記鳥居枠１０の支柱１１間の寸法よりも短くなっており、Ｕ字状バー３５の垂直部分が足場板４６の幅方向内側に偏倚している。従って押えレバー４６が安全ガード３３のＵ字状バー３５の垂直部分と干渉されることがない。しかも押えレバー２６と安全ガード３３のＵ字状バー３５の両端に外方に突出するように設けられている当接片４０とは、互いに高さ方向の異なる位置に取付けられており、両者が互いに干渉することがない。図１１はとくに当接片４０が押えレバー２６に対して上方位置にあるときの関係を示している。
【００２３】
以上のような構成に係る足場構造は、横方向に連結される鳥居枠１０間の前面側の開口部が先行手摺り２０によって閉じられるとともに、終端の鳥居枠１０の両側の支柱１１間の部分が安全ガード３３によって閉じられる。従って安全性が高い構造になる。しかもこれらの先行手摺り２０および安全ガード３３は、何れも作業性を損なうことがない。また先行手摺り２０の押えレバー２６と安全ガード３３の当接片４０との干渉がないために、組立てに支障を生ずることがない。また足場ユニットを何段にも積重ねる際に、下段側のユニットの先行手摺り２０が上段の前面の足場板４６の上面から約１ｍの高さまで延びるようになっているために、前面側の部分の開放が回避され、さらに安全性が高まる。
【００２４】
また安全ガード３３は、上述の如くＵ字状バー３５の縦方向に延びる垂直部分が内側に偏倚しており、先行手摺り２０の押さえレバー２６と干渉しないようになっている。しかも取付けバー３４とＵ字状バー３５とによって、閉じた枠体を構成しているために、持運んだり吊るし上げたりするときの安全性が高くなる。しかも取付けバー３４の両端が中空リベット３８によってクランパ３７と結合されるようになっているために、軽量化が図られ、ボルトから成る突出部が無くなり、しかも中空リベット３８の内側の孔を係止手段として利用することが可能になる。
【００２５】
以上本願発明を図示の一実施の形態によって説明したが、本願発明は上記実施の形態によって限定されることなく、本願発明の技術的思想の範囲内において各種の変更が可能である。例えば上記実施の形態における足場ユニットの裏側の部分についても、斜め桟４５に代えて先行手摺り２０を取付ける構造を採用してもよい。また先行手摺り２０や押えレバー２６の具体的な構造についても、各種の設計変更や寸法の変更が可能である。
【産業上の利用可能性】
【００２６】
本願発明は、建築工事等の高所作業における安全性の向上と作業性の改善のための足場構造として広く利用することが可能である。
【符号の説明】
【００２７】
１０  鳥居枠
１１  支柱
１２  横バー
１３  補強材
１４  挿入軸
１５  受入れ筒
２０  先行手摺り
２１  縦桟
２２  中桟
２３  横桟
２４  上桟
２５  下桟
２６  押えレバー
２７  長孔
２８  ピン
２９  切欠き
３０  係合部
３３  安全ガード
３４  取付けバー
３５  Ｕ字状バー
３６  溶接位置
３７  クランパ
３８  中空リベット
３９  取付け穴
４０  当接片
４５  斜め桟
４６  足場板
【図１】
0006519916.tif 000002
【図２】
0006519916.tif 000003
【図３】
0006519916.tif 000004
【図４】
0006519916.tif 000005
【図５】
0006519916.tif 000006
【図６】
0006519916.tif 000007
【図７】
0006519916.tif 000008
【図８】
0006519916.tif 000009
【図９】
0006519916.tif 000010
【図１０】
0006519916.tif 000011
【図１１】
0006519916.tif 000012